(57)【要約】  【課題】相手方より返信されるファイルを好適に回収し、かつその進捗を簡便に把握できるようなシステムを実現する。  【解決手段】相手方を識別する相手方識別子及び往信ファイルを含むファイル往復要求を受信する往復要求受信手段１０１と、ファイル往復要求に含まれる相手方識別子で識別される相手方に向けて往信ファイルを送信する往信ファイル送信手段１０２と、往信ファイルを送信する処理に付随して返信ファイルの返信アドレスを相手方に向けて送信する返信アドレス送信手段１０３と、相手方より返信アドレスに向けて返信される返信ファイルを受信する返信ファイル受信手段１０４と、受信した返信ファイルを格納する返信ファイル格納手段１０５と、相手方の各々が返信ファイルを返信してきたか否かに関する進捗情報を記録するログ記録手段１０６と、記録した進捗情報を発信元に向けて送信する進捗情報送信手段１０７とを具備するファイル往復システムを構成した。  【選択図】図１
2006252391.tif 000002
【特許請求の範囲】
【請求項１】
電気通信回線を介して一または複数の相手方に往信ファイルを送り届け、かつ各相手方より送り返される返信ファイルを集約するシステムであって、
発信元で指定された相手方を識別する相手方識別子及び往信ファイルを含むファイル往復要求を受信する往復要求受信手段と、
前記往復要求受信手段が受信したファイル往復要求を参照し、相手方識別子で識別される相手方に向けて往信ファイルを送信する往信ファイル送信手段と、
前記往信ファイル送信手段が往信ファイルを送信する処理に付随して、返信ファイルの返信先を規定する返信アドレスを前記相手方に向けて送信する返信アドレス送信手段と、
前記相手方より前記返信アドレスに向けて返信される返信ファイルを受信する返信ファイル受信手段と、
前記返信ファイル受信手段が受信した返信ファイルを格納する返信ファイル格納手段と、
前記相手方の各々が返信ファイルを返信してきたか否かに関する進捗情報を記録するログ記録手段と、
前記ログ記録手段が記録した進捗情報を前記発信元に向けて送信する進捗情報送信手段と
を具備してなるファイル往復システム。
【請求項２】
前記ファイル往復要求に、複数の相手方に係る相手方識別子が含まれる場合において、
前記返信アドレス送信手段は、前記相手方毎に相異なる返信アドレスを決定して送信し、
前記ログ記録手段は、前記返信ファイル受信手段が受信した返信ファイルが何れの返信アドレスに返信されたのかによって相手方を特定し前記進捗情報を記録する請求項１記載のファイル往復システム。
【請求項３】
前記ファイル往復要求に、前記発信元で指定された返信に関する条件を規定する条件情報が含まれる場合において、
前記条件情報に規定された条件を満たしている返信に係る返信ファイルのみを前記返信ファイル格納手段に格納するように構成した請求項１または２記載のファイル往復システム。
【請求項４】
前記ログ記録手段が、前記往信ファイルのハッシュ値である往信ハッシュと前記返信ファイルのハッシュ値である返信ハッシュとを生成し、かつこれら往信ハッシュ及び返信ハッシュを関連付けて記録する請求項１、２または３記載のファイル往復システム。
【請求項５】
請求項１、２、３または４記載のファイル往復システムを構成するために用いられるものであって、コンピュータを、
発信元で指定された相手方を識別する相手方識別子及び往信ファイルを含むファイル往復要求を受信する往復要求受信手段、
前記往復要求受信手段が受信したファイル往復要求を参照し、相手方識別子で識別される相手方に向けて往信ファイルを送信する往信ファイル送信手段、
前記往信ファイル送信手段が往信ファイルを送信する処理に付随して、返信ファイルの返信先を規定する返信アドレスを前記相手方に向けて送信する返信アドレス送信手段、
前記相手方より前記返信アドレスに向けて返信される返信ファイルを受信する返信ファイル受信手段、
前記返信ファイル受信手段が受信した返信ファイルを格納する返信ファイル格納手段、
前記相手方の各々が返信ファイルを返信してきたか否かに関する進捗情報を記録するログ記録手段、並びに、
前記ログ記録手段が記録した進捗情報を前記発信元に向けて送信する進捗情報送信手段
として機能させるプログラム。
【請求項６】
前記ファイル往復要求に、複数の相手方に係る相手方識別子が含まれる場合において、
前記返信アドレス送信手段は、前記相手方毎に相異なる返信アドレスを決定して送信し、
前記ログ記録手段は、前記返信ファイル受信手段が受信した返信ファイルが何れの返信アドレスに返信されたのかによって相手方を特定し前記進捗情報を記録する請求項５記載のプログラム。
【請求項７】
前記ファイル往復要求に、前記発信元で指定された返信に関する条件を規定する条件情報が含まれる場合において、
前記条件情報に規定された条件を満たしている返信に係る返信ファイルのみを前記返信ファイル格納手段に格納するようにコンピュータを機能させる請求項５または６記載のプログラム。
【請求項８】
前記ログ記録手段が、前記往信ファイルのハッシュ値である往信ハッシュと前記返信ファイルのハッシュ値である返信ハッシュとを生成し、かつこれら往信ハッシュ及び返信ハッシュを関連付けて記録する請求項５、６または７記載のプログラム。
【発明の詳細な説明】
【技術分野】
【０００１】
本発明は、発信元から相手方へのファイルの往信及び相手方から発信元へのファイルの返信の一連した手続を好適に支援するシステムに関する。
【背景技術】
【０００２】
情報通信関連技術の普及に伴い、パーソナルコンピュータの高性能化及び低価格化が実現し、並びにデータ通信の高速化及び高信頼化がもたらされた。近時のオフィスでは、各ワーカーにパーソナルコンピュータが配給され、これらパーソナルコンピュータがＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット等の電気通信回線に接続されていることが一般的となった。そして、ワーカーがパーソナルコンピュータを使用して必要な文書や図表を作成し、これをそのまま電子メール（例えば、下記特許文献を参照）で相手方に送信することもごく当たり前の所作となった。
【特許文献１】特開平１１−０１７７３３号公報
【発明の開示】
【発明が解決しようとする課題】
【０００３】
電子メールの利便性については言を待たないが、現状の電子メールシステムに全く不満を感じない訳ではない。例えば、契約書や帳票、調査票等の文書ファイルを送信し、その文書ファイルに電子署名または回答の上返信してもらう状況を想定する。発信元となるユーザは、電子メールクライアントを使用して、ファイルを添付したメールを相手方に送信し、相手方から返信されるファイルが添付されたメールを受信する。このとき、発信元のユーザ側では、往信メールと返信メールとの明確な関係性を見出すことができない。つまり、電子メールクライアントでは相手方からの返信メールとそれ以外のメールとが同列に扱われ、これらが区別されずごちゃ混ぜになって表示されてしまう。従って、相手方から返信ファイルを回収しようとする場合に、何れの相手方から回収でき、何れの相手方から回収できていないのかを掌握することが難しくなる。とりわけ、相手方の数が多かったり、複数種類の往信メールを同時期に送っていたり、あるいは日々受け取るメールの数が多かったりすると上記の問題が顕在化する。
【０００４】
以上に鑑みてなされた本発明は、相手方より返信されるファイルを好適に回収し、かつその進捗を簡便に掌握できるようなシステムを実現しようとするものである。
【課題を解決するための手段】
【０００５】
上述した課題を解決するべく、本発明では、図１に示すように、電気通信回線を介して一または複数の相手方に往信ファイルを送り届け、かつ各相手方より送り返される返信ファイルを集約するシステムであって、発信元で指定された相手方を識別する相手方識別子及び往信ファイルを含むファイル往復要求を受信する往復要求受信手段１０１と、前記往復要求受信手段１０１が受信したファイル往復要求を参照し、相手方識別子で識別される相手方に向けて往信ファイルを送信する往信ファイル送信手段１０２と、前記往信ファイル送信手段１０２が往信ファイルを送信する処理に付随して、返信ファイルの返信先を規定する返信アドレスを前記相手方に向けて送信する返信アドレス送信手段１０３と、前記相手方より前記返信アドレスに向けて返信される返信ファイルを受信する返信ファイル受信手段１０４と、前記返信ファイル受信手段１０４が受信した返信ファイルを格納する返信ファイル格納手段１０５と、前記相手方の各々が返信ファイルを返信してきたか否かに関する進捗情報を前記ファイル往復要求毎に記録するログ記録手段１０６と、前記ログ記録手段１０６が記録した進捗情報を前記発信元に向けて送信する進捗情報送信手段１０７とを具備してなるファイル往復システムを構成した。
【０００６】
このようなものであれば、相手方より返信される返信ファイルを簡便に回収し得るのみならず、ある往信に対して何れの相手方が既に返信し、何れの相手方が未だ返信していないのかを（ファイル往復要求毎の進捗情報として）掌握することが容易になる。そして、発信元から相手方への往信、相手方から発信元への返信という一連した手続を好適に支援することができる。但し、返信ファイルは、必ずしも往信ファイルを基にして作成されたものであるとは限られない。
【０００７】
前記ファイル往復要求に、複数の相手方に係る相手方識別子が含まれる場合において、前記返信アドレス送信手段１０３が、前記相手方毎に相異なる返信アドレスを決定して送信し、前記ログ記録手段１０６が、前記返信ファイル受信手段１０４が受信した返信ファイルが何れの返信アドレスに返信されたのかによって相手方を特定し前記進捗情報を記録するものとすれば、ユーザ認証等の処理手順を実施することなく返信ファイルを返信してきた相手方を特定可能である。また、相手方にとっても、ユーザ認証のためのＩＤ・パスワード入力等の操作を省くことができる。但し、相手方のユーザが往信ファイルを取得する際にこのユーザを認証する処理を実施することを妨げるものではない。
【０００８】
前記ファイル往復要求に、前記発信元で指定された返信に関する条件を規定する条件情報が含まれる場合において、前記条件情報に規定された条件を満たしている返信に係る返信ファイルのみを前記返信ファイル格納手段１０５に格納するように構成すれば、発信元の所望する態様の返信ファイルのみを確実に回収することができる。ここで、返信に関する条件とは、返信ファイル自体に直接関連する条件（例えば、返信ファイルの容量、返信ファイルの数、返信ファイルの種別やデータ形式等）であることもあれば、返信ファイル自体に直接関連しない条件（例えば、返信の期限、一の相手方が複数回返信することを許容する場合における返信可能な回数等）であることもある。
【０００９】
加えて、前記ログ記録手段１０６が、前記往信ファイルのハッシュ値である往信ハッシュと前記返信ファイルのハッシュ値である返信ハッシュとを生成し、かつこれら往信ハッシュ及び返信ハッシュを関連付けて記録するものとすれば、発信元から相手方に往信ファイルが送り届けられた事実と、相手方から発信元に返信ファイルが送り返された事実とを組にして記録し事後的に確認することが可能になる。即ち、往復のやり取りが行われたという事実を証明し得るシステムとなり、業務上、商取引上の文書の移送や取り交わしにおいて極めて有効に利用できる。
【発明の効果】
【００１０】
本発明に係るファイル往復システムによれば、相手方より返信されるファイルを好適に回収でき、かつその進捗を簡便に掌握することが可能となる。
【発明を実施するための最良の形態】
【００１１】
以下、本発明の一実施形態を、図面を参照して説明する。本実施形態のファイル往復システムの全体概要を、図２に示す。本システム上には、ノードとして、発信元となるユーザが使用する情報処理端末２、相手方となるユーザが使用する情報処理端末３、及び、これら情報処理端末２、３と協働するサーバコンピュータ１が存在する。情報処理端末２及びサーバコンピュータ１は、ＬＡＮ、ＷＡＮ、インターネット等の電気通信回線４を介して相互に通信可能に接続している。
【００１２】
本実施形態では、サーバコンピュータ１が主体となってファイル往復サービスを提供する。発信元のユーザは、本システムを利用してデータファイル（往信ファイル）を所望の相手方に送り届けることができ、並びに相手方から送り返されるデータファイル（返信ファイル）を回収することができる。
【００１３】
発信元のユーザが使用する情報処理端末２は、パーソナルコンピュータ、ＰＤＡ（Ｐｅｒｓｏｎａｌ  Ｄｉｇｉｔａｌ  Ａｓｓｉｓｔａｎｔ）、携帯電話端末等の如く、各種データファイルを扱う情報処理を実行可能である。この情報処理端末２は、例えば、図３に示すように、プロセッサａ、メインメモリｂ、補助記憶デバイスｃ、表示制御デバイスｄ、ディスプレイｅ、入力デバイスｆ、通信インタフェースｇ等のハードウェア資源を備えており、これらハードウェア資源はコントローラ（即ち、システムコントローラやＩ／Ｏコントローラ）ｈにより制御されて連携動作する。補助記憶デバイスｃは、ハードディスクドライブ、フラッシュメモリ、光学ディスクドライブ、その他である。表示制御デバイスｄは、プロセッサａより受けた描画指示をもとに表示させるべき画像データを生成してディスプレイｅに向けて送出するビデオチップ（あるいは、グラフィクスチップ）、画像データ等を一時的に格納しておくビデオメモリ（Ｖｉｄｅｏ  ＲＡＭ）等を要素とする。入力デバイスｆは、手指で操作可能な押下ボタン、キーボードや、マウス、トラックパッド、タッチパネル等のポインティングデバイスである。通信インタフェースｇは、電気通信回線４を介した通信を行うためのデバイスであり、ＮＩＣ（Ｎｅｔｗｏｒｋ  Ｉｎｔｅｒｆａｃｅ  Ｃａｒｄ）、無線トランシーバ、モデム等に代表されるが、これら以外にＩＥＥＥ１３９４、ＵＳＢ（Ｕｎｉｖｅｒｓａｌ  Ｓｅｒｉａｌ  Ｂｕｓ）等のインタフェースを採用することもできる。
【００１４】
通常、プロセッサａによって実行されるべきプログラムが補助記憶デバイスｃに格納されており、プログラムの実行の際には補助記憶デバイスｃからメインメモリｂに読み込まれ、プロセッサａによって解読される。本実施形態における情報処理端末２には、既知のＧＵＩ（Ｇｒａｐｈｉｃａｌ  Ｕｓｅｒ  Ｉｎｔｅｒｆａｃｅ）型のＯＳ（Ｏｐｅｒａｔｉｎｇ  Ｓｙｓｔｅｍ）やこれに付帯する各種デバイスドライバがインストールされ、他のプログラムによる上記ハードウェア資源の利用を仲介する。また、アプリケーションプログラムとして、データファイルを作成ないし修正するためのプログラム（ワードプロセッサアプリケーション、表計算アプリケーション、グラフィックアプリケーション、他）や電子メールクライアント、ウェブブラウザ等がインストールされている。その上で、本システムを利用するためのクライアントプログラム（ウェブブラウザ等と連携するプラグインプログラムであることがある）がインストールされている。
【００１５】
相手方のユーザが使用する情報処理端末３は、情報処理端末２と同様のハードウェア資源を備えるもので、やはり予め既知のＧＵＩ型のＯＳやこれに付帯する各種デバイスドライバがインストールされている。また、アプリケーションプログラムとして、データファイルを作成ないし修正するためのプログラムや電子メールクライアント、ウェブブラウザ等がインストールされている。
【００１６】
サーバコンピュータ１は、例えば、図４に示すように、プロセッサｉ、メインメモリｊ、補助記憶デバイスｋ、通信インタフェースｌ等のハードウェア資源を備えており、これらハードウェア資源はコントローラｍにより制御されて連携動作する。通信インタフェースｋは、電気通信回線４を介した通信を行うためのデバイス（ＮＩＣ等）である。
【００１７】
通常、プロセッサｉによって実行されるべきプログラムが補助記憶デバイスｋに格納されており、プログラムの実行の際には補助記憶デバイスｋからメインメモリｊに読み込まれ、プロセッサｉによって解読される。本実施形態におけるサーバコンピュータ１には、既知のＯＳやこれに付帯する各種デバイスドライバがインストールされ、他のプログラムによる上記ハードウェア資源の利用を仲介する。また、既知の電子メールサーバプログラム、ウェブサーバプログラムがインストールされており、電子メールサーバ、ウェブサーバとして働く。その上で、本発明に係るプログラムが（ウェブサーバに対するバックエンドプログラムとして）インストールされており、このプログラムに従い上記ハードウェア資源を作動して、図５に示す往復要求受信手段１０１、往信ファイル格納手段１０８、往信ファイル送信手段１０２、返信アドレス送信手段１０３、返信ファイル受信手段１０４、返信ファイル格納手段１０５、ログ記録手段１０６、進捗情報送信手段１０７及び返信ファイル送信手段１０９としての機能を発揮する。
【００１８】
以降、情報処理端末２、サーバコンピュータ１及び情報処理端末３が実行する処理を詳述する。まず、本システムを利用して往信ファイルの送信、返信ファイルの回収を行おうとする発信元のユーザは、情報処理端末２上でクライアントプログラムを起動する。起動したクライアントプログラムは、図６に例示するようなウィンドウをディスプレイｅの画面に表示する。そして、発信元のユーザによる、往信ファイルの指定、相手方の指定、返信の条件の指定等を受け付ける。
【００１９】
往信ファイルは、その送信に先んじて作成され、補助記憶デバイスｃに格納されている。発信元のユーザは、入力デバイスｆを使用して、補助記憶デバイスｃに格納されている一または複数のデータファイルを往信ファイルに指定する操作を行う。具体的には、ウィンドウ上に表示されている「ファイル追加」ボタン２０１をクリックする。この操作を受け付けたクライアントプログラムは、データファイルを選択させるためのダイアログ（図示しない）をディスプレイｅの画面に表示する。次に、発信元のユーザは、ダイアログに一覧表示されるデータファイルの中から所望のファイルを選択する。結果として、クライアントプログラムは、指定された往信ファイルを識別するパス情報を得る。同時に、クライアントプログラムは、指定された往信ファイルのファイル名やアイコン等を、ウィンドウにおける領域２０２に表示する。
【００２０】
並びに、発信元のユーザは、往信ファイルとともに、あるいは往信ファイルに替えて、相手方のユーザに伝達すべきメッセージ文を記述できる。発信元のユーザは、入力デバイスｆを使用して、メッセージ文を記述する操作を行う。具体的には、ウィンドウ上に表示されている「オプション」ボタン２０３をクリックする。この操作を受け付けたクライアントプログラムは、図７に例示するようなオプション設定を行うためのダイアログをディスプレイｅの画面に表示する。しかる後、発信元のユーザは、ダイアログ内のテキスト入力欄２０４にメッセージ文を入力する。結果として、クライアントプログラムは、相手方に伝達すべきメッセージ文のテキストデータを得る。
【００２１】
また、発信元のユーザは、入力デバイスｆを使用して、往信ファイルを送り届けるべき一または複数の相手方を規定する相手方識別子を入力する操作を行う。本実施形態では、相手方識別子として、相手方のユーザが使用する電子メールアドレスを入力する。但し、この電子メールアドレスを直接の宛先として往信ファイルを送信する訳ではない（電子メールアドレスの役割については、後述する）。具体的には、ウィンドウ上に表示されている「一件追加」ボタン２０５、または「アドレス帳追加」ボタン２０６をクリックする。この操作を受け付けたクライアントプログラムは、相手方の電子メールアドレスを入力させるためのダイアログ（図示しない）、またはアドレス帳（補助記憶デバイスｃの所要の記憶領域を用いて構成される）に予め登録されている電子メールアドレスを選択させるためのダイアログ（図示しない）をディスプレイｅの画面に表示する。次に、発信元のユーザは、ダイアログの入力領域に電子メールアドレスを手入力するか、またはダイアログに一覧表示される電子メールアドレスの中から所望のものを選択する。結果として、クライアントプログラムは、相手方識別子となる電子メールアドレスの情報を得る。同時に、クライアントプログラムは、指定された電子メールアドレス等を、ウィンドウにおける領域２００に表示する。
【００２２】
さらに、本実施形態では、往信ファイルを相手方に送り届ける日時を、発信元のユーザの側で指定することが可能である。発信元のユーザは、入力デバイスｆを使用して、ウィンドウ上に表示されている指定日時入力欄２０７に、往信ファイルを送り届けるべき日時を入力する操作を行う。この操作を受け付けることで、クライアントプログラムは、往信ファイルを送り届けるべき日時の情報を得る。
【００２３】
加えて、発信元のユーザは、相手方のユーザによる返信ファイルの返信に関して条件を指定することができる。返信に関する条件とは、例えば、返信ファイルの容量、返信ファイルの数、返信ファイルの種別やデータ形式（例えば、ファイル名に付される拡張子）、返信の期限、一の相手方が返信可能な回数等である。発信元のユーザは、入力デバイスｆを使用して、オプション設定ウィンドウ上に表示されている返信条件入力欄２０８に、各種条件を入力する操作を行う。この操作を受け付けることで、クライアントプログラムは、返信に関する条件を規定する条件情報を得る。
【００２４】
往信ファイルの指定、相手方の指定、返信の条件の指定等を受け付けたクライアントプログラムは、往信ファイルの送信を実行すべき旨の指示を待ち受ける。往信ファイルを送信することを決断した発信元のユーザは、入力デバイスｆを使用し、ウィンドウ上に表示されている「送信登録」ボタン２０９をクリックする操作を行うことで送信の実行を指示する。この操作を受け付けたクライアントプログラムは、往信ファイルの送信及び返信ファイルの回収を委託するためのファイル往復要求を生成し、これをサーバコンピュータ１に向けて電気通信回線４を介して送信する。このときの情報処理端末２は、ＨＴＴＰ（ＨｙｐｅｒＴｅｘｔ  Ｔｒａｎｓｆａｒ  Ｐｒｏｔｏｃｏｌ）等に則ってサーバコンピュータ１と通信する。情報処理端末２とサーバコンピュータ１との通信は、ＳＳＬ（Ｓｅｃｕｒｅ  Ｓｏｃｋｅｔ  Ｌａｙｅｒ）等により暗号化することが望ましい。なお、クライアントプログラムは、発信元のユーザを認証するためのユーザ認証子（例えば、ユーザＩＤ及び／またはパスワード、バイオメトリックデータ等）及び発信元のユーザが使用する電子メールアドレスをメインメモリｂまたは補助記憶デバイスｃに予め保持しており、サーバコンピュータ１にアクセスする際にはユーザ認証子を送信してその認証を受ける。ファイル往復要求は、以下の内容を含む。
・発信元のユーザが使用する電子メールアドレス
・（一または複数の）相手方識別子
・（一または複数の）往信ファイル
・メッセージ文
・往信ファイル送信の指定日時
・条件情報
但し、メッセージ文、往信ファイル送信の指定日時、条件情報は必須でない。また、往信ファイルが指定されないことも許容される。往信ファイルが指定されない場合には、メッセージ文のテキストデータを以て往信ファイルとする。
【００２５】
往信ファイルの送信に際してサーバコンピュータ１が実行する処理を、図８のフローチャートに示す。サーバコンピュータ１で起動したプログラムは、発信元のユーザが使用する情報処理端末２によるアクセスを待ち受ける。情報処理端末２によるアクセスを受け付けたサーバコンピュータ１は、ユーザ認証を実行する（ステップＳ１）。サーバコンピュータ１側では、正当な権限を有するユーザを識別するユーザ認証子をメインメモリｊまたは補助記憶デバイスｋに予め保持しており、情報処理端末２によるアクセスがあったときに、この情報処理端末２よりもたらされるユーザ認証子と自身が保持しているユーザ認証子とを比較して発信元のユーザを認証する。ユーザ認証に失敗した場合には、情報処理端末２によるアクセスを拒絶することは言うまでもない。
【００２６】
ユーザ認証を経て、サーバコンピュータ１は、プログラムに従い、情報処理端末２よりもたらされるファイル往復要求を受信する（ステップＳ２）。このときのサーバコンピュータ１は、往復要求受信手段１０１として働く。
【００２７】
ファイル往復要求を受信したサーバコンピュータ１は、プログラムに従い、ファイル往復要求に含まれる往信ファイルを所定の暗号アルゴリズム及び暗号鍵を用いて暗号化し、補助記憶デバイスｋの所要の記憶領域に格納する（ステップＳ３）。ファイル往復要求に往信ファイルが含まれていない場合には、ファイル往復要求に含まれているメッセージ文のテキストデータを往信ファイルとして格納する。往信ファイルは、これを相手方に送り届ける処理を完遂するまでの間、または所定の有効期限を過ぎるまでの間保存される。このときのサーバコンピュータ１は、往信ファイル格納手段１０８として働く。加えて、ファイル往復要求に往信ファイル送信の指定日時及び／または条件情報が含まれている場合には、これをメインメモリｊまたは補助記憶デバイスｋに保持しておく。
【００２８】
ここまでの手順を経て、ファイル往復要求が正式に受け付けられたことになる。サーバコンピュータ１は、プログラムに従い、往復要求受付ログを生成して記録する（ステップＳ４）。往復要求受付ログは、メインメモリｊまたは補助記憶デバイスｋに格納する。往復要求受付ログは、ファイル往復要求を受け付けた事実に関するログであって、例えば、以下の内容を含む。
・ファイル往復要求を識別する識別子
・発信元のユーザを示す情報（ユーザ認証子及び／または電子メールアドレス）
・ファイル往復要求を受信した日時（タイムスタンプ）
・ファイル往復要求受信時における、各往信ファイルのハッシュ値
ハッシュ値は、一方向性（ハッシュ値から原文を求めることが困難）及び衝突耐性（同じハッシュ値を生成する二つの原文を見出すことが困難）を有するハッシュ関数に、原文となる往信ファイルの一部または全部を代入して算出する。但し、ハッシュ値ではなくファイル自体を複製してログとして記録しておくことも当然に考えられる。因みに、タイムスタンプの値は、電気通信回線４を介して接続している所定のネットワークタイムサーバ（ＮＴＳ（Ｎｅｔｗｏｒｋ  Ｔｉｍｅ  Ｐｒｏｔｏｃｏｌ）サーバ。図示しない）より取得することが好ましい。
【００２９】
ファイル往復要求の受信後、サーバコンピュータ１は、ファイル往復要求に含まれる往信ファイルを相手方に送り届けるための具体的な処理手順を実行開始する。サーバコンピュータ１は、ＨＴＴＰ等に則って往信ファイルを相手方のユーザにダウンロードさせ、並びに相手方のユーザより返信ファイルをアップロードさせるウェブページを電気通信回線４上に公開する。往信ファイルをダウンロードし、返信ファイルをアップロードするためにアクセスするべきウェブページのＵＲＩ（Ｕｎｉｆｏｒｍ  Ｒｅｓｏｕｒｃｅ  Ｉｄｅｎｔｉｆｉｅｒ）は、相手方のユーザ毎に相異なるものとする。そのために、サーバコンピュータ１は、プログラムに従い、相手方毎に相異なる一意のＵＲＩを生成して（ステップＳ５）各ＵＲＩをメインメモリｊまたは補助記憶デバイスｋに保持しておく。その上で、サーバコンピュータ１は、プログラムに従い、上記のＵＲＩを記述した通知メールを各相手方に向けて送信する（ステップＳ６）。但し、ファイル往復要求に往信ファイル送信の指定日時の情報が含まれている場合には、その日時が訪れる時まで通知メールの送信を行わない。この通知メールの送信先は、ファイル往復要求に相手方識別子として含まれている電子メールアドレスである。
【００３０】
通知メールを送信した時点で、サーバコンピュータ１は、プログラムに従い、往信ログを生成して記録する（ステップＳ７）。往信ログは、メインメモリｊまたは補助記憶デバイスｋに格納する。往信ログは、各相手方に向けた往信ファイルの送信の進捗に関するログである。この時点での往信ログは、例えば、以下の内容を含む。
・往信セッションを識別する識別子
・相手方のユーザを示す情報（電子メールアドレス）
・通知メールを送信した日時（タイムスタンプ）
往信ファイルを送り届けるべき相手方が複数存在する場合には、各相手方毎に往信ログを生成し、それら往信ログに相異なる識別子を付与する。なお、往信ログは、往復要求受付ログに関連付けられる。往復要求受付ログと往信ログとの関連付けの態様は種々考えられるが、本実施形態では、ファイル往復要求を識別する識別子と往信セッションを識別する識別子との間に明示的な関係性を持たせるようにしている。例示すると、あるファイル往復要求に従って往信ファイルを２人の相手方に送信する状況下で、このファイル往復要求を識別する識別子が「０１５」である場合に、１人目の相手方に向けた往信セッションには識別子「０１５−１」を付与し、２人目の相手方に向けた往信セッションには識別子「０１５−２」を付与する。
【００３１】
他方、相手方のユーザは、情報処理端末３を使用して往信ファイルをダウンロードする。相手方のユーザは、電子メールクライアントを起動して通知メールを受信し、ウェブブラウザを起動して通知メールに記述されたＵＲＩにより指し示されるウェブページにアクセスする。サーバコンピュータ１のウェブサーバは、情報処理端末３によるアクセスを受け付け（ステップＳ８）、往信ファイルをダウンロードさせるウェブページを構成するデータ（ＨＴＭＬ（ＨｙｐｅｒＴｅｘｔ  Ｍａｒｋｕｐ  Ｌａｎｇｕａｇｅ）ファイル等）を生成して情報処理端末３に向けて送信する（ステップＳ９）。なお、ファイル往復要求にメッセージ文が含まれている場合には、このメッセージ文をウェブページを構成するデータ中に含めておく。情報処理端末３とサーバコンピュータ１との通信も、ＳＳＬ等により暗号化することが望ましい。
【００３２】
データを受信した情報処理端末３のウェブブラウザは、当該ウェブページをディスプレイｅの画面に表示する。往信ファイルをダウンロードするためのウェブページを、図９に例示する。しかして、相手方のユーザは、入力デバイスｆを使用して、各往信ファイルをダウンロードする操作を行う。具体的には、ウェブページ上に表示されている「受取」ボタン３０１または「一括受取」ボタン３０２をクリックする。この操作を受け付けたウェブブラウザは、「受取」ボタン３０１に対応する往信ファイルのダウンロード要求、または「一括受取」ボタン３０２がクリックされた場合には全ての往信ファイルのダウンロード要求をサーバコンピュータ１に向けて送信する。このダウンロード要求を受信した（ステップＳ１０）サーバコンピュータ１は、プログラムに従い、補助記憶デバイスｋに暗号化して格納している往信ファイルを復号化した上で情報処理端末３に向けて送信する（ステップＳ１１）。このときのサーバコンピュータ１は、往信ファイル送信手段１０２として働く。なお、往信ファイルを送信する際には、送信対象となる往信ファイルの一部または全部よりハッシュ値を生成して、先に記録した往復要求受付ログにおけるハッシュ値と比較する。両ハッシュ値が一致すれば、補助記憶デバイスｋに保存していた往信ファイルの同一性保持が証明されることになる。
【００３３】
往信ファイルを送信した時点（上記のダウンロード要求を受信した時点）で、サーバコンピュータ１は、プログラムに従い、相手方に往信ファイルを送信した事実に関する情報を往信ログに追記する（ステップＳ１２）。往信ファイルをダウンロードするためのウェブページのＵＲＩは相手方に応じて異なり、そのＵＲＩはダウンロード要求に含まれてサーバコンピュータ１にもたらされることから、サーバコンピュータ１は何れの相手方にどの往信ファイルを送信したかを知得し得る。よって、サーバコンピュータ１は、往信ファイルを送信した相手方に係る往信ログに、各往信ファイルについての以下の情報を追記する。
・当該往信ファイルを相手方に送信した日時（タイムスタンプ）
・相手方への送信時における、当該往信ファイルのハッシュ値
続いて、相手方からの返信ファイルの回収について述べる。返信ファイルの回収に際してサーバコンピュータ１が実行する処理を、図１０及び図１１のフローチャートに示す。既に述べたように、サーバコンピュータ１は、往信ファイルをダウンロードさせかつ返信ファイルをアップロードさせるウェブページを電気通信回線４上に公開している。また、返信ファイルをアップロードするためにアクセスするべきＵＲＩは相手方のユーザ毎に相異なるものとしており、ステップＳ５で各相手方に対応する各ＵＲＩを予め生成してメインメモリｊまたは補助記憶デバイスｋに保持している。返信ファイルをアップロードさせるＵＲＩは、返信ファイルの返信先を規定する返信アドレスに相当する。返信ファイルを回収するには、各相手方に対して上記のＵＲＩを知らしめる必要がある。本実施形態では、往信ファイルをダウンロードさせるウェブページに、返信ファイルをアップロードさせるＵＲＩへのリンクを張っておき、当該ＵＲＩを宛先として返信ファイルを送信させるものとしている。つまり、ステップＳ９で情報処理端末３に向けて送信するＨＴＭＬファイル等に、返信アドレスとなるＵＲＩを記述している。このときのサーバコンピュータ１は、返信アドレス送信手段１０３として働く。
【００３４】
相手方のユーザは、ウェブブラウザを利用して上述したウェブページにアクセスし、所要の返信ファイルをアップロードする。返信ファイルは、その返信に先んじて作成され、補助記憶デバイスｃに格納されている。返信ファイルは、往信ファイルを基に作成したものであってもよく、往信ファイルとは別個に作成したものであってもよい。相手方のユーザは、入力デバイスｆを使用し、補助記憶デバイスｃに格納されている一または複数のデータファイルを返信ファイルに指定して返信する操作を行う。具体的には、ウェブページ上に表示されている「ファイル追加」ボタン３０３をクリックする。この操作を受け付けたウェブブラウザは、データファイルを選択させるためのダイアログ（図示しない）をディスプレイｅの画面に表示する。次に、相手方のユーザは、ダイアログに一覧表示されるデータファイルの中から所望のファイルを選択する。結果として、ウェブブラウザは、指定された返信ファイルを識別するパス情報を得る。同時に、ウェブブラウザは、指定された返信ファイルのファイル名やアイコン等を、ウェブページにおける領域３０４に表示する。しかる後、相手方のユーザは、ウェブページ上に表示されている「返信」リンクボタン３０５をクリックする。以上を経て、ウェブブラウザは、指定された返信ファイルを、リンクとして記述されているＵＲＩに向けて送信するアップロード要求（典型的には、ＨＴＴＰのＰＯＳＴメソッド）を実行する。
【００３５】
サーバコンピュータ１は、プログラムに従い、アップロード要求を受け付けて（ステップＳ１３）情報処理端末３よりもたらされる返信ファイルを受信する（ステップＳ１４）。このときのサーバコンピュータ１は、返信ファイル受信手段１０４として働く。なお、ファイル往復要求に条件情報が含まれていた場合には、相手方のユーザによる返信がこの条件情報に規定された条件を満たしているかどうかを判断する処理を伴う。即ち、サーバコンピュータ１が、プログラムに従い、受信した返信ファイルの容量やファイル数、ファイル名に付されている拡張子等を参照して、返信ファイルが条件に合致した妥当なものであるか否かを判断する。あるいは、情報処理端末３からの返信の日時または返信の回数を確認し、返信に関する条件を満足しているか否かを判断する。返信ファイルが条件に合致しないものであったり、返信時点や返信回数が条件を逸脱していたりする場合、情報処理端末３よりもたらされる返信ファイルを破棄する。但し、このような返信ファイルの制限は、必ずしもサーバコンピュータ１側で実施するとは限られない。ウェブページを構成するデータ中にスクリプトを記述しておけば、情報処理端末３のウェブブラウザ側で返信ファイルの制限を実施することも可能である。
【００３６】
返信ファイルを受信したサーバコンピュータ１は、プログラムに従い、返信ファイルを所定の暗号アルゴリズム及び暗号鍵を用いて暗号化し、補助記憶デバイスｋの所要の記憶領域に格納する（ステップＳ１５）。返信ファイルは、これを発信元に送り返す処理を完遂するまでの間、または所定の有効期限を過ぎるまでの間保存される。このときのサーバコンピュータ１は、返信ファイル格納手段１０５として働く。
【００３７】
ここまでの手順を経て、返信ファイルの返信が正式に受け付けられたことになる。サーバコンピュータ１は、プログラムに従い、返信ログを生成して記録する（ステップＳ１６）。返信ログは、メインメモリｊまたは補助記憶デバイスｋに格納する。返信ログは、各相手方から発信元に向けた返信ファイルの返信の進捗に関するログである。この時点での返信ログは、例えば、以下の内容を含む。
・返信セッションを識別する識別子
・相手方のユーザを示す情報（電子メールアドレス）
・返信ファイルを受信した日時（タイムスタンプ）
・返信ファイル受信時における、各返信ファイルのハッシュ値
ハッシュ値は、所定のハッシュ関数に、返信ファイルの一部または全部を代入して算出する。なお、返信ファイルをアップロードする宛先のＵＲＩは相手方に応じて異なり、そのＵＲＩはアップロード要求に含まれてサーバコンピュータ１にもたらされることから、サーバコンピュータ１は何れの相手方が返信ファイルを返信してきたかを知得し得る。よって、サーバコンピュータ１は、各相手方毎に返信ログを生成するものとし、それら返信ログに相異なる識別子を付与する。なお、返信ログは、往復要求受付ログ及び往信ログに関連付けられる。往復要求受付ログ及び往信ログと返信ログとの関連付けの態様は種々考えられるが、本実施形態では、ファイル往復要求を識別する識別子と返信セッションを識別する識別子との間に明示的な関係性を持たせるようにしている。例示すると、あるファイル往復要求に従って往信ファイルを送信した２人の相手方から返信ファイルを回収する状況下で、このファイル往復要求を識別する識別子が「０１５」である場合に、１人目の相手方から発信元への往信セッションには識別子「０１５−１Ｒ」を付与し、２人目の相手方に向けた往信セッションには識別子「０１５−２Ｒ」を付与する。これら往復要求受付ログ、往信ログ、返信ログの関係を、図１２に例示する。
【００３８】
総じて言えば、サーバコンピュータ１は、ファイル往復要求の受信、通知メールの送信、往信ファイルのダウンロード送信、返信ファイルのアップロード受信という４段階の処理を実行する。そして、これら各段階の処理をリアルタイムに監視してそのログを記録することができる。つまり、このサーバコンピュータ１は、ログ記録手段１０６として働いている。
【００３９】
また、サーバコンピュータ１は、各相手方より返信ファイルを回収しつつ、返信ファイルを発信元に送り返すための具体的な処理手順を実行する。サーバコンピュータ１は、ＨＴＴＰ等に則って返信ファイルを発信元のユーザにダウンロードさせるウェブページを電気通信回線４上に公開する。返信ファイルをダウンロードするためにアクセスするべきウェブページのＵＲＩは、ファイル往復要求毎に相異なるものとする。そのために、サーバコンピュータ１は、プログラムに従い、ファイル往復要求毎に相異なる一意のＵＲＩを生成して（ステップＳ１７）各ＵＲＩをメインメモリｊまたは補助記憶デバイスｋに保持しておく。その上で、サーバコンピュータ１は、プログラムに従い、上記のＵＲＩを記述した通知メールを発信元に向けて送信する（ステップＳ１８）。通知メールの送信先は、ファイル往復要求に含まれている、発信元のユーザが使用する電子メールアドレスである。
【００４０】
他方、発信元のユーザは、情報処理端末２を使用して返信ファイルをダウンロードする。発信元のユーザは、電子メールクライアントを起動して通知メールを受信し、ウェブブラウザを起動して通知メールに記述されたＵＲＩにより指し示されるウェブページにアクセスする。サーバコンピュータ１のウェブサーバは、情報処理端末２によるアクセスを受け付け（ステップＳ１９）、往信ファイルをダウンロードさせるウェブページを構成するデータ（ＨＴＭＬファイル等）を生成して情報処理端末２に向けて送信する（ステップＳ２０）。ここでの情報処理端末２とサーバコンピュータ１との通信も、ＳＳＬ等により暗号化することが望ましい。なお、ステップＳ１９でサーバコンピュータ１が送信するウェブページのデータには、各相手方が返信ファイルを返信してきたか否かに関する進捗情報を含める。進捗情報は、サーバコンピュータ１が記録していたログを基に生成する。このときのサーバコンピュータ１は、進捗情報送信手段１０７として働く。
【００４１】
データを受信した情報処理端末２のウェブブラウザは、当該ウェブページをディスプレイｅの画面に表示する。返信ファイルをダウンロードするためのウェブページを、図１３に例示する。図示例のごとく、このウェブページには進捗情報、即ちあるファイル往復要求に対する各相手方からの返信の進捗状況が一覧表示される。しかして、相手方のユーザは、入力デバイスｆを使用して、各返信ファイルをダウンロードする操作を行う。具体的には、ウェブページ上に表示されている「受取」ボタン２１０または「一括受取」ボタン２１１をクリックする。この操作を受け付けたウェブブラウザは、「受取」ボタン２１０に対応する返信ファイルのダウンロード要求、または「一括受取」ボタン２１１がクリックされた場合には全ての返信ファイルのダウンロード要求をサーバコンピュータ１に向けて送信する。このダウンロード要求を受信した（ステップＳ２１）サーバコンピュータ１は、プログラムに従い、補助記憶デバイスｋに暗号化して格納している返信ファイルを復号化した上で情報処理端末２に向けて送信する（ステップＳ２２）。このときのサーバコンピュータ１は、返信ファイル送信手段１０９として働く。なお、返信ファイルを送信する際には、送信対象となる返信ファイルの一部または全部よりハッシュ値を生成して、先に記録した返信ログにおけるハッシュ値と比較する。両ハッシュ値が一致すれば、補助記憶デバイスｋに保存していた返信ファイルの同一性保持が証明されることになる。
【００４２】
返信ファイルを送信した時点（上記のダウンロード要求を受信した時点）で、サーバコンピュータ１は、プログラムに従い、発信元に返信ファイルを送信した事実に関する情報を返信ログに追記する（ステップＳ２３）。返信ファイルをダウンロードするためのウェブページのＵＲＩはファイル往復要求毎に異なり、そのＵＲＩはダウンロード要求に含まれてサーバコンピュータ１にもたらされることから、サーバコンピュータ１は何れのファイル往復要求に係るどの返信ファイルを発信元に送信したかを知得し得る。よって、サーバコンピュータ１は、対応したファイル往復要求に係る返信ログに、各返信ファイルについての以下の情報を追記する。
・当該返信ファイルを発信元に送信した日時（タイムスタンプ）
・発信元への送信時における、当該返信ファイルのハッシュ値
本実施形態によれば、電気通信回線４を介して一または複数の相手方に往信ファイルを送り届け、かつ各相手方より送り返される返信ファイルを集約するシステムであって、発信元で指定された相手方を識別する相手方識別子及び往信ファイルを含むファイル往復要求を受信する往復要求受信手段１０１と、前記往復要求受信手段１０１が受信したファイル往復要求を参照し、相手方識別子で識別される相手方に向けて往信ファイルを送信する往信ファイル送信手段１０２と、前記往信ファイル送信手段１０２が往信ファイルを送信する処理に付随して、返信ファイルの返信先を規定する返信アドレスを前記相手方に向けて送信する返信アドレス送信手段１０３と、前記相手方より前記返信アドレスに向けて返信される返信ファイルを受信する返信ファイル受信手段１０４と、前記返信ファイル受信手段１０４が受信した返信ファイルを格納する返信ファイル格納手段１０５と、前記相手方の各々が返信ファイルを返信してきたか否かに関する進捗情報を前記ファイル往復要求毎に記録するログ記録手段１０６と、前記ログ記録手段１０６が記録した進捗情報を前記発信元に向けて送信する進捗情報送信手段１０７とを具備してなるファイル往復システムを構成したため、相手方より返信される返信ファイルを簡便に回収し得るのみならず、ある往信に対して何れの相手方が既に返信し、何れの相手方が未だ返信していないのかを（ファイル往復要求毎の進捗情報として）容易に掌握可能となる。そして、発信元から相手方への往信、相手方から発信元への返信という一連した手続を好適に支援することができる。
【００４３】
前記ファイル往復要求に、複数の相手方に係る相手方識別子が含まれる場合において、前記返信アドレス送信手段１０３が、前記相手方毎に相異なる返信アドレス（ＵＲＩ）を決定して送信し、前記ログ記録手段１０６が、前記返信ファイル受信手段１０４が受信した返信ファイルが何れの返信アドレスに返信されたのかによって相手方を特定し前記進捗情報を記録するものとしたため、ユーザ認証等の処理手順を実施することなく返信ファイルを返信してきた相手方を特定可能となっている。また、相手方にとっても、ユーザ認証のためのＩＤ・パスワード入力等の操作を省くことができる。
【００４４】
前記ファイル往復要求に、前記発信元で指定された返信に関する条件を規定する条件情報が含まれる場合において、前記条件情報に規定された条件を満たしている返信に係る返信ファイルのみを前記返信ファイル格納手段１０５に格納するように構成したため、発信元の所望する態様の返信ファイルのみを確実に回収することができる。
【００４５】
加えて、前記ログ記録手段１０６が、前記往信ファイルのハッシュ値である往信ハッシュ（往信ログに含まれるハッシュ）と前記返信ファイルのハッシュ値である返信ハッシュ（返信ログに含まれるハッシュ）とを生成し、かつこれら往信ハッシュ及び返信ハッシュを関連付けて記録するものとしているため、発信元から相手方に往信ファイルが送り届けられた事実と、相手方から発信元に返信ファイルが送り返された事実とを組にして記録し事後的に確認することが可能になっている。即ち、往復のやり取りが行われたという事実を証明し得るシステムとなり、業務上、商取引上の文書の移送や取り交わしにおいて極めて有効に利用できる。
【００４６】
なお、本発明は以上に詳述した実施形態に限られるものではない。特に、ファイル往復要求は、発信元のユーザが使用する情報処理端末２より直接的にファイル往復システム（のサーバコンピュータ１）にもたらされるとは限られない。ファイル往復要求は、自動化されたコンピュータより発されることがあり得る。
【００４７】
発信元のユーザから相手方のユーザに向けて行われる一の往信において複数個の往信ファイルが一括に送信される場合に、ファイル往復システム（のログ記録手段１０６）では、各往信ファイル毎に（往信ファイルと同数の）往信ハッシュを生成してもよく、全往信ファイルを単一のファイルと見立てて（単一の）往信ハッシュを生成してもよい。同様に、ある相手方のユーザから発信元のユーザに向けて行われる一の返信において複数個の返信ファイルが一括に送信される場合に、ファイル往復システムでは、各返信ファイル毎に返信ハッシュを生成してもよく、全返信ファイルを単一のファイルと見立てて返信ハッシュを生成してもよい。一括に送信される全ファイルを基に単一のハッシュを生成しログとして記録しておくものとすれば、それら複数個のファイルの相互の関連を事後的に証明し得ることになる。
【００４８】
また、情報処理端末２上で起動するクライアントプログラムに、返信ファイルをサーバコンピュータ１からダウンロードする機能や、進捗情報を受信して一覧表示する機能を実装しても構わない。この場合、情報処理端末２とサーバコンピュータ１との間でユーザ認証子を授受して発信元のユーザの認証が可能であるため、より確実に該当ユーザに返信ファイルを送り届けられるようになる。また、サーバコンピュータ１が発信元のユーザに向けて通知メールを送信する手順等も省略できる。
【００４９】
さらに、フラッシュメモリ（特に、いわゆるＵＳＢメモリ）、ＩＣカード等の情報処理端末２、３に対し着脱可能な補助記憶デバイスを応用することが考えられる。例えば、発信元のユーザが使用するクライアントプログラムを格納した補助記憶デバイスを提供すれば、発信元のユーザはこれを所持して任意の情報処理端末２から往信を行うことができる。言い換えるならば、情報処理端末２に予めクライアントプログラムをインストールしておく必要がなくなる。また、このような補助記憶デバイスを所持しているユーザのみが往信（及び返信ファイルの回収）を行い得ることとなり、ファイル往復システムの利用者を制限できる。加えて、相手方に送り届けるべき往信ファイルを格納する手段として、及び／または、サーバコンピュータ１よりダウンロードする返信ファイルを格納する手段として、上記の補助記憶デバイスを機能させるものとすれば、発信元となるユーザはこの補助記憶デバイスのみを以てファイル往復手続の用をなすことが可能となる。
【００５０】
情報処理端末２にインストールされているクライアントプログラムを起動するためのキーとなるデータを格納した補助記憶デバイスを提供すれば、これを所持しているユーザのみがクライアントプログラムを起動して往信を行い得ることとなる。この場合のクライアントプログラムは、起動開始時に、情報処理端末２に接続されているであろう補助記憶デバイスからキーとなるデータを読み出す処理を試行し、データの読み出しに成功しなければプログラムの実行を中断ないし終了する。
【００５１】
既に述べたように、本システムでは、情報処理端末２とサーバコンピュータ１との間でユーザ認証子が授受されて発信元となるユーザの認証が行われるが、そのユーザ認証子を着脱可能な補助記憶デバイスに格納したものを提供すれば、やはりこれを所持しているユーザのみが往信を行い得ることになる。この場合のクライアントプログラムは、起動開始時、ファイル往復要求の送信時または返信ファイルのダウンロード時等に、情報処理端末２に接続されているであろう補助記憶デバイスからユーザ認証子を読み出す処理を試行し、ユーザ認証子の読み出しに成功しなければファイル往復要求の送信や返信ファイルのダウンロード等を実施しない（あるいは、サーバコンピュータ１が、発信元のユーザの認証に失敗したとしてこれらの要求を拒絶する）。
【００５２】
その他、各部の具体的構成や具体的な処理手順等は上記実施形態に限られるものではなく、本発明の趣旨を逸脱しない範囲で種々変形が可能である。
【図面の簡単な説明】
【００５３】
【図１】本発明の構成説明図。
【図２】本発明の一実施形態のファイル往復システムの全体概要を示す図。
【図３】情報処理端末が備えるハードウェア資源を示す図。
【図４】サーバコンピュータが備えるハードウェア資源を示す図。
【図５】同実施形態のファイル往復システムの構成説明図。
【図６】発信元の情報処理端末において提供されるユーザインタフェースを例示する図。
【図７】発信元の情報処理端末において提供されるユーザインタフェースを例示する図。
【図８】サーバコンピュータが実施する処理の手順を示すフローチャート。
【図９】相手方の情報処理端末において提供されるユーザインタフェースを例示する図。
【図１０】サーバコンピュータが実施する処理の手順を示すフローチャート。
【図１１】サーバコンピュータが実施する処理の手順を示すフローチャート。
【図１２】サーバコンピュータが記録するログの関連づけを説明する図。
【図１３】発信元の情報処理端末において提供されるユーザインタフェースを例示する図。
【符号の説明】
【００５４】
１…サーバコンピュータ（ファイル往復システム）
１０１…往復要求受信手段
１０２…往信ファイル送信手段
１０３…返信アドレス送信手段
１０４…返信ファイル受信手段
１０５…返信ファイル格納手段
１０６…ログ記録手段
１０７…進捗情報送信手段
４…電気通信回線
【図１】
2006252391.tif 000003
【図２】
2006252391.tif 000004
【図３】
2006252391.tif 000005
【図４】
2006252391.tif 000006
【図５】
2006252391.tif 000007
【図６】
2006252391.tif 000008
【図７】
2006252391.tif 000009
【図８】
2006252391.tif 000010
【図９】
2006252391.tif 000011
【図１０】
2006252391.tif 000012
【図１１】
2006252391.tif 000013
【図１２】
2006252391.tif 000014
【図１３】
2006252391.tif 000015